(57)【要約】【課題】構成が簡易であると共に、耐火パネルの取付けを容易かつ短時間のうちに行うことができる耐火パネル取付具及びそれを用いた耐火パネルの取付構造を提供する。【解決手段】耐火パネル取付具１０は、耐火パネル１２に固定される固定プレート１１と、該固定プレート１１の端部に四角枠状に一体形成される支持枠１５と、該支持枠１５に支持され固定プレート１１と平行に延びる支軸としてのボルト１９と、該ボルト１９に遊嵌される円筒体２５によって回動可能に支持され建築物の構造躯体としてのコンクリート床材２２に取付けられる可動プレート２４とにより構成されている。そして、可動プレート２４は、固定プレート１１に沿う鉛直位置及び固定プレート１１に直交する水平位置を取るように形成され、可動プレート２４が水平位置を取る場合には、支持枠１５の側壁２３の下面２３ａに当接されて位置決めされるようになっている。【選択図】図１
2010065474.tif 000002
【特許請求の範囲】
【請求項１】
耐火パネルに固定される固定プレートと、該固定プレートの端部に四角枠状に一体形成される支持枠と、該支持枠に支持され固定プレートと平行に延びる支軸と、該支軸に遊嵌される筒体によって回動可能に支持され建築物の構造躯体に取付けられる可動プレートとにより構成され、可動プレートが固定プレートに沿う位置及び固定プレートに直交する位置を取り得るように形成されていることを特徴とする耐火パネル取付具。
【請求項２】
前記可動プレートは、固定プレートに沿う位置から固定プレートに直交する位置まで回動されたとき、支持枠の端面に当接されて位置決めされるように構成されていることを特徴とする請求項１に記載の耐火パネル取付具。
【請求項３】
前記筒体及び可動プレートの幅は、支持枠の内幅よりも短く形成され、筒体及び可動プレートの外側面と支持枠の内側面との間に隙間が形成されるように構成されていることを特徴とする請求項１又は請求項２に記載の耐火パネル取付具。
【請求項４】
請求項１から請求項３のいずれか１項に記載の耐火パネル取付具の固定プレートが耐火パネルに固定された状態で、可動プレートが固定プレートに沿う鉛直位置から固定プレートに直交する水平位置まで回動され、可動プレートが構造躯体に取付けられていることを特徴とする耐火パネルの取付構造。
【請求項５】
前記耐火パネルの内面と構造躯体の端面との間には、耐火ガスケットが介装されていることを特徴とする請求項４に記載の耐火パネルの取付構造。
【発明の詳細な説明】
【技術分野】
【０００１】
本発明は、例えば建築物の外壁材として用いられる耐火パネルを構造躯体に取付けるための耐火パネル取付具及びそれを用いた耐火パネルの取付構造に関するものである。
【背景技術】
【０００２】
建築物の外壁には、例えばケイ酸カルシウム板、木毛セメント板、ＡＬＣ板（軽量気泡コンクリート板）、ロックウール板等の耐火パネルが用いられ、係る耐火パネルが取付具によってコンクリート製床材等の構造躯体に取付けられている。具体的には、耐火パネルとその表面を被覆する被覆パネルとを有する複合耐火パネルを建物躯体に施工する施工法が知られている（例えば、特許文献１を参照）。
【０００３】
すなわち、耐火パネルの裏面にその厚さ方向へ向って連結具収容孔を形成し、またこの連結具収容孔に交差しかつ連通するような長尺体収容孔を形成し、耐火パネルの裏面へと開口する雌ネジと長尺体収容孔に対して位置合わせ可能な貫通孔とを有する連結具を連結収容孔に収容する。次に、長尺体収容孔に長尺体を収容してこの長尺体を前記貫通孔に挿通し、これにより前記連結具を連結具収容孔内に係止し、次いで取付金具を耐火パネルの裏面に当接させた状態でこの取付金具を通して固定用ボルトを前記雌ネジに螺合させ、これにより複合耐火パネルを取付金具に対して固定する、複合耐火パネルの施工法である。
【特許文献１】特開平４−１８９９４２号公報（第１頁、第２頁及び第７頁）
【発明の開示】
【発明が解決しようとする課題】
【０００４】
ところが、前記特許文献１に記載されている耐火パネルの施工法においては、まず耐火パネルに連結具収容孔と長尺体収容孔とを設け、雌ネジと貫通孔とを有する連結具を連結具収容孔に収容すると共に、長尺体を長尺体収容孔に収容して連結具の貫通孔に挿通しなければならない。その後、取付金具を耐火パネルの裏面に当接させた状態で、その取付金具を通して固定用ボルトを連結具の雌ネジに螺合させて耐火パネルを取付金具に対して固定しなければならない。このため、耐火パネルの取付具の構造自体が複雑であると共に、耐火パネルの取付方法が煩雑で取付けに時間を要するという問題があった。
【０００５】
本発明は、このような従来技術に存在する問題点に着目してなされたものであり、その目的とするところは、構成が簡易であると共に、耐火パネルの取付けを容易かつ短時間のうちに行うことができる耐火パネル取付具及びそれを用いた耐火パネルの取付構造を提供することにある。
【課題を解決するための手段】
【０００６】
上記の目的を達成するために、請求項１に係る耐火パネル取付具は、耐火パネルに固定される固定プレートと、該固定プレートの端部に四角枠状に一体形成される支持枠と、該支持枠に支持され固定プレートと平行に延びる支軸と、該支軸に遊嵌される筒体によって回動可能に支持され建築物の構造躯体に取付けられる可動プレートとにより構成され、可動プレートが固定プレートに沿う位置及び固定プレートに直交する位置を取り得るように形成されていることを特徴とする。
【０００７】
請求項２に係る耐火パネル取付具は、請求項１に係る発明において、前記可動プレートは、固定プレートに沿う位置から固定プレートに直交する位置まで回動されたとき、支持枠の端面に当接されて位置決めされるように構成されていることを特徴とする。
【０００８】
請求項３に係る耐火パネル取付具は、請求項１又は請求項２に係る発明において、前記筒体及び可動プレートの幅は、支持枠の内幅よりも短く形成され、筒体及び可動プレートの外側面と支持枠の内側面との間に隙間が形成されるように構成されていることを特徴とする。
【０００９】
請求項４に係る耐火パネルの取付構造は、請求項１から請求項３のいずれか１項に記載の耐火パネル取付具の固定プレートが耐火パネルに固定された状態で、可動プレートが固定プレートに沿う鉛直位置から固定プレートに直交する水平位置まで回動され、可動プレートが構造躯体に取付けられていることを特徴とする。
【００１０】
請求項５に係る耐火パネルの取付構造は、請求項４に係る発明において、前記耐火パネルの内面と構造躯体の端面との間には、耐火ガスケットが介装されていることを特徴とする。
【発明の効果】
【００１１】
本発明によれば、次のような効果を発揮することができる。
請求項１に係る発明の耐火パネル取付具は、耐火パネルに固定される固定プレートと、該固定プレートの端部に四角枠状に一体形成される支持枠と、該支持枠に支持され固定プレートと平行に延びる支軸と、該支軸に遊嵌される筒体によって回動可能に支持され建築物の構造躯体に取付けられる可動プレートとにより構成されている。すなわち、耐火パネル取付具は固定プレートとその固定プレートに対して回動可能に形成された可動プレートとにより構成されている。
【００１２】
このため、耐火パネルを構造躯体に取付ける場合には、構造躯体の端部に耐火パネルを配置し、固定プレートに沿う位置の可動プレートを固定プレートに直交する位置まで回動させた後、可動プレートを構造躯体に固定することにより行われる。従って、耐火パネル取付具の構成が簡易であると共に、耐火パネルの取付けを容易かつ短時間のうちに行うことができる。
【００１３】
請求項２に係る発明の耐火パネル取付具では、可動プレートは固定プレートに沿う位置から固定プレートに直交する位置まで回動されたとき、支持枠の端面に当接されて位置決めされるように構成されている。このため、請求項１に係る発明の効果に加えて、可動プレートは固定プレートに対して直交する位置を容易に保持することができる。
【００１４】
請求項３に係る発明の耐火パネル取付具では、前記筒体及び可動プレートの幅は、支持枠の内幅よりも短く形成され、筒体及び可動プレートの外側面と支持枠の内側面との間に隙間が形成されるように構成されている。このため、請求項１又は請求項２に係る発明の効果に加えて、構造躯体に対する耐火パネルの移動を可能にし、地震や風圧による耐火パネルの動きを許容することができ、耐火パネルの損傷などを抑制することができる。
【００１５】
請求項４に係る発明の耐火パネルの取付構造では、耐火パネル取付具の固定プレートが耐火パネルに固定された状態で、可動プレートが固定プレートに沿う鉛直位置から固定プレートに直交する水平位置まで回動され、可動プレートが構造躯体に取付けられている。従って、請求項１から請求項３のいずれかに係る発明の効果に加え、耐火パネルを安定した状態で構造躯体に取付けることができる。
【００１６】
請求項５に係る発明の耐火パネルの取付構造では、耐火パネルの内面と構造躯体の端面との間には耐火ガスケットが介装されている。このため、請求項４に係る発明の効果に加えて、耐火パネルと構造躯体との間の耐火性能を保持することができる。
【発明を実施するための最良の形態】
【００１７】
以下、本発明の最良と思われる実施形態を図面に基づいて詳細に説明する。
（第１実施形態）
本発明を具体化した第１実施形態について図１〜図６に基づいて説明する。
【００１８】
図５に示すように、耐火パネル取付具１０を構成する固定プレート１１は、耐火パネル１２の内面１２ａ（図１の右面）に上下２箇所の孔１３でリベット１４により固定されるようになっている。該固定プレート１１の上端部には、四角枠状（平面ロの字状）に形成されて上下が開放された支持枠１５が一体形成されている。この支持枠１５の対向する側壁１６、１７にはそれぞれ貫通孔１８が透設され、両貫通孔１８には支軸としてのボルト１９が固定プレート１１と平行に延びるように挿通され、座金２０を介してナット２１に螺合されている。図３に示すように、固定プレート１１は耐火パネル１２に固定された状態で鉛直に配置され、建築物の構造躯体としてのコンクリート床材２２に取付けられる場合にはコンクリート床材２２の端面２２ａの外面に配置される。図４に示すように、支持枠１５の側壁２３の端面としての下面２３ａは水平に延びている。なお、貫通孔１８は支持枠１５の側壁１６、１７の中央位置より下方に設けられている。
【００１９】
一方、図５に示すように、可動プレート２４の基端側上面には、前記ボルト１９に遊嵌される円筒体２５が溶接部２６により固着されると共に、可動プレート２４をコンクリート床材２２にボルト部材３５（図１参照）で固定するための一対の挿通孔２７が開口されている。図４に示すように、可動プレート２４はその円筒体２５が支持枠１５内のボルト１９に遊嵌された状態で回動可能に支持され、固定プレート１１に沿う位置（図４の実線）と固定プレート１１に直交する位置（図４の二点鎖線）との間で回動されるようになっている。そして、可動プレート２４が固定プレート１１に直交する位置まで回動されたときには、その上面が支持枠１５の側壁２３の下面２３ａに当接されて位置決めされ、可動プレート２４の水平状態が保持されるように構成されている。
【００２０】
この場合、可動プレート２４が固定プレート１１に対して直交する水平位置まで回動されたとき、可動プレート２４をその位置に保持する保持力は、てこの原理に基づいてボルト１９の位置と、可動プレート２４が当接される支持枠１５の側壁２３の位置との距離に基づいて決定される。係る距離が長いほど可動プレート２４を水平状態に保持する保持力を高めることができるが、その距離が長くなるとコンクリート床材２２上で平坦部が少なくなるため適切な距離に設定される。
【００２１】
図６に示すように、前記円筒体２５及び可動プレート２４の幅は、支持枠１５の内幅（側壁１６、１７間の距離）よりも短く形成され、円筒体２５及び可動プレート２４の外側面２５ａ、２４ａと支持枠１５の内側面（側壁１６、１７の内側面１６ａ、１７ａ）との間に隙間２８が形成されるように構成されている。そして、耐火パネル１２はコンクリート床材２２に対して幅方向（水平方向）に若干移動できるようになっている。耐火パネル取付具１０は、上記の固定プレート１１、支持枠１５、支軸としてのボルト１９、円筒体２５、可動プレート２４等により構成されている。図２及び図３に示すように、係る耐火パネル取付具１０は、耐火パネル１２の左右に一対設けられている。
【００２２】
図１は耐火パネル１２の取付構造を示し、耐火パネル取付具１０の固定プレート１１が耐火パネル１２に固定された状態で、可動プレート２４が固定プレート１１に沿う鉛直位置から固定プレート１１に直交する水平位置まで回動され、その状態で可動プレート２４がコンクリート床材２２に取付けられている。このとき、耐火パネル１２の内面１２ａとコンクリート床材２２の端面２２ａとの間の間隙２９には耐火ガスケット３０が上下一対介装され、耐火パネル１２の内面１２ａとコンクリート床材２２の端面２２ａとの間の耐火性が保持されている。耐火パネル１２の外面にはアルミニウム製のガラス保持枠３１が上下位置に所定間隔をおいて配設され、ガラス保持枠３１の保持溝３２にはガラス板３３が嵌め込まれシール部材３４でシールされている。
【００２３】
次に、上記のように構成された耐火パネル取付具１０を用いた耐火パネル１２の取付方法について説明する。
さて、図４に示すように、工場で耐火パネル１２内面１２ａの所定位置に耐火パネル取付具１０の固定プレート１１をリベット１４によって耐火パネル１２に固定する。そして、可動プレート２４を固定プレート１１に沿う位置にした状態でトラックの荷台に載せ、建築現場まで搬送する。建築現場では、この耐火パネル取付具１０が取付けられた耐火パネル１２を建築物内部のコンクリート床材２２上に運ぶ。次いで、可動プレート２４をその円筒体２５を中心にして水平方向まで回動させ、クレーン等で耐火パネル１２を吊り上げ、図３に示すようにコンクリート床材２２の端部に配置させる。このとき、コンクリート床材２２の端面２２ａと耐火パネル１２の内面１２ａとの間隙２９には耐火ガスケット３０が挟着される。
【００２４】
その状態で、図１に示すように、可動プレート２４の挿通孔２７にはボルト部材３５が挿通され、コンクリート床材２２上面の穴に埋め込まれた雌ねじ部材３６に螺合される。このようにして、耐火パネル１２が耐火パネル取付具１０によりコンクリート床材２２に対して鉛直方向に取付けられ、耐火パネル１２の取付構造が形成される。このような操作が同一階で横方向へ順に行われ、さらに別の階で同様の操作が行われることにより、耐火パネル１２で建築物の外壁が構築される。
【００２５】
以上の第１実施形態によって発揮される作用及び効果を以下にまとめて記載する。
・  本実施形態の耐火パネル取付具１０は、耐火パネル１２に固定される固定プレート１１と、その端部に四角枠状に一体形成される支持枠１５と、それに支持され固定プレート１１と平行に延びるボルト１９と、それに遊嵌される円筒体２５で回動可能に支持されコンクリート床材２２に取付けられる可動プレート２４とで構成されている。すなわち、耐火パネル取付具１０は固定プレート１１とその固定プレート１１に対して直交する位置まで回動可能に形成された可動プレート２４とにより構成されている。
【００２６】
このため、耐火パネル１２をコンクリート床材２２に取付ける場合には、コンクリート床材２２の端部に耐火パネル１２を配置し、固定プレート１１に沿う位置にある可動プレート２４を固定プレート１１に直交する水平位置まで回動させた後、可動プレート２４をコンクリート床材２２に固定することにより行われる。従って、耐火パネル取付具１０の構成が簡易であると共に、耐火パネル１２の取付けを容易かつ短時間のうちに行うことができる。
【００２７】
・  前記可動プレート２４は固定プレート１１に沿う鉛直位置から固定プレート１１に直交する水平位置まで回動されたとき、支持枠１５の側壁２３の下面２３ａに当接されて位置決めされるように構成されている。このため、可動プレート２４は固定プレート１１に対して直交する位置を容易に保持することができる。
【００２８】
・  前記円筒体２５及び可動プレート２４の幅は、支持枠１５の内幅よりも短く形成され、円筒体２５及び可動プレート２４の外側面２５ａ、２４ａと支持枠１５の側壁１６、１７の内側面１６ａ、１７ａとの間に隙間２８が形成されるように構成されている。このため、コンクリート床材２２に対する耐火パネル１２の左右への移動を可能にし、地震や風圧による耐火パネル１２の若干の動きを許容することができ、耐火パネル１２の損傷などを抑制することができる。
【００２９】
・  耐火パネル１２の取付構造では、耐火パネル取付具１０の固定プレート１１が耐火パネル１２に固定された状態で、可動プレート２４が固定プレート１１に沿う鉛直位置から固定プレート１１に直交する水平位置まで回動され、その状態で可動プレート２４がコンクリート床材２２に取付けられている。従って、耐火パネル１２を安定した状態でコンクリート床材２２に取付けることができる。
【００３０】
・  耐火パネル１２の取付構造では、耐火パネル１２の内面１２ａとコンクリート床材２２の端面２２ａとの間に耐火ガスケット３０が介装されている。このため、耐火材料である耐火パネル１２及びコンクリート床材２２に加えて、耐火パネル１２とコンクリート床材２２との間における耐火性能を十分に発揮することができる。
（第２実施形態）
本発明を具体化した第２実施形態について、図７及び図８に基づいて説明する。本第２実施形態においては、主に第１実施形態と異なる部分について説明し、同一部分については説明を省略する。
【００３１】
耐火パネル取付具１０の構造は基本的には第１実施形態と同じであるが、耐火パネル１２に対する固定プレート１１の取付位置が第１実施形態より下方位置に設定されている。構造躯体としてのＨ型鋼３７上にはフラットデッキプレート３８が支持されている。可動プレート２４は水平位置まで回動された状態で、フラットデッキプレート３８上に載置され、ボルトアンカー３９が可動プレート２４の挿通孔２７及びフラットデッキプレート３８に設けられた透孔４０に挿通されることにより、フラットデッキプレート３８に固定されるようになっている。なお、ボルトアンカー３９はフラットデッキプレート３８の透孔４０に挿通された後開いて抜け止めされるように構成されている。その後、図８に示すように、フラットデッキプレート３８上にはコンクリートが打設され、所定厚さのコンクリート床材２２が形成される。この場合には、耐火パネル取付具１０はコンクリートで埋められ、コンクリート床材２２中に埋没するように構成される。
【００３２】
この第２実施形態によれば、コンクリート床材２２の端面２２ａが耐火パネル１２の内面１２ａに密着するため、第１実施形態で使用した耐火ガスケット３０は不要となり、コンクリート床材２２と耐火パネル１２とにより高い耐火性能を発揮することができる。
【００３３】
なお、前記各実施形態を次のように変更して具体化することも可能である。
・  前記耐火パネル１２に対する耐火パネル取付具１０の取付個数は、耐火パネル１２の幅に応じて適宜設定することができ、１枚の耐火パネル１２に対して３個又は４個に設定することができる。
【００３４】
・  前記可動プレート２４が固定プレート１１に対して直交する水平位置まで回動されたとき、その位置で可動プレート２４の動きを仮止めするストッパを回動部分、具体的にはボルト１９と円筒体２５との間などに備えることもできる。
【００３５】
・  前記固定プレート１１の端部に設けられている支持枠１５は、可動プレート２４の延びる方向に長くして平面長方形状になるように構成することもできる。この場合、ボルト１９と側壁２３との距離が長くなり、可動プレート２４を水平方向に一層安定した状態で支持することができる。
【００３６】
・  前記筒体としての円筒体２５は、三角筒体、四角筒体等の角筒体、楕円筒体などの形状であってもよい。
・  第１実施形態において耐火ガスケット３０を省略し、コンクリート床材２２の端面２２ａに耐火パネル１２の内面１２ａを近接させるように構成することも可能である。
【００３７】
・  前記可動プレート２４には、固定プレート１１のリベット１４に対応する位置に開口部を設け、可動プレート２４が固定プレート１１に沿うように位置したとき、リベット１４に接触しないように構成することもできる。
【００３８】
・  前記固定プレート１１の端部に設けられている支持枠１５は、上端部に蓋板を備えた構造であってもよい。
次に、前記実施形態より把握できる技術的思想について以下に記載する。
【００３９】
・  前記構造躯体は、建築物のコンクリート床材であることを特徴とする請求項１から請求項３のいずれか一項に記載の耐火パネル取付具。このように構成した場合、請求項１から請求項３のいずれかに係る発明の効果に加えて、耐火性能を容易に向上させることができる。
【００４０】
・  前記可動プレートが固定プレートに対して直交する水平位置まで回動されたとき、可動プレートをその位置に保持する保持力は支軸の位置と、可動プレートが当接される支持枠の側壁の位置との距離に基づいて決定されることを特徴とする請求項２又は請求項２に記載の耐火パネル取付具。このように構成した場合、請求項１又は請求項２に係る発明の効果に加えて、可動プレートを水平状態に十分な保持力をもって支持することができる。
【００４１】
・  前記支軸及び筒体は、可動プレートが固定プレートに対して回動されて直交方向に保持されるように構成されていることを特徴とする請求項１から請求項３のいずれか一項に記載の耐火パネル取付具。このように構成した場合、請求項１から請求項３のいずれかに係る発明の効果に加えて、可動プレートを水平状態に保持して構造躯体に取付けられ、耐火パネルを鉛直方向に配設することができる。
【００４２】
・  前記筒体は、円筒状に形成されていることを特徴とする請求項１から請求項３のいずれか一項に記載の耐火パネル取付具。このように構成した場合、請求項１から請求項３のいずれかに係る発明の効果に加えて、可動プレートの回動を円滑に行うことができる。
【図面の簡単な説明】
【００４３】
【図１】第１実施形態における耐火パネル取付具を用いた耐火パネルの取付構造を示す断面図。
【図２】耐火パネルを耐火パネル取付具によりコンクリート床材に取付けた状態を示す平断面図。
【図３】耐火パネルを耐火パネル取付具によりコンクリート床材に取付けた状態を示す斜視図。
【図４】耐火パネル取付具における可動プレートの作用を示す正面図。
【図５】耐火パネル取付具を分解して示す斜視図。
【図６】耐火パネル取付具の支持枠両側壁と可動プレートとの関係を示す部分拡大平面図。
【図７】第２実施形態を示し、構造躯体としてのフラットデッキプレート上に耐火パネル取付具を固定した状態を示す断面図。
【図８】図７の状態からフラットデッキプレート上にコンクリートを打設してコンクリート床材を形成した状態を示す断面図。
【符号の説明】
【００４４】
１０…耐火パネル取付具、１１…固定プレート、１２…耐火パネル、１２ａ…内面、１５…支持枠、１６ａ、１７ａ…内側面、１９…支軸としてのボルト、２２…構造躯体としてのコンクリート床材、２２ａ…端面、２４…可動プレート、２４ａ…外側面、２５…筒体としての円筒体、２５ａ…外側面、２８…隙間、３０…耐火ガスケット。
【図１】
2010065474.tif 000003
【図２】
2010065474.tif 000004
【図３】
2010065474.tif 000005
【図４】
2010065474.tif 000006
【図５】
2010065474.tif 000007
【図６】
2010065474.tif 000008
【図７】
2010065474.tif 000009
【図８】
2010065474.tif 000010